Podtech/llm-jp-corpus-v4-ja_patent huggingface dataset:
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
カテーテル配置支援装置であって、
谷で合流する一対のウイングであって、各々が湾曲した輪郭を有する、ウイングと、
前記谷の一端から突出するスパウトであって、入口開口の一方の側を形成し、そこを通して尿道口が最適に可視化され得る、スパウトと、
前記谷の他端から突出する後方シールドと、を備え、
前記ウイングは、終端する前に前記入口開口の周りで互いに重なり合う、カテーテル配置支援装置。
【請求項２】
カテーテル配置支援装置であって、
谷で合流する一対のウイングであって、各々が湾曲した輪郭を有する、ウイングと、
前記谷の一端から突出するスパウトであって、入口開口の一方の側を形成し、そこを通して尿道口が最適に可視化され得る、スパウトと、
前記谷の他端から突出する後方シールドと、を備え、
前記ウイングは終端する前に前記入口開口の周りで互いに重なり合う、又は前記ウイングは終端する前に前記入口開口に隣接する永久間隙を形成し、
前記ウイングの一方の各表面点の接線と前記ウイングの正中線とによって前記ウイングに沿った表面点について決定された角度ａが、前記スパウトおよび谷から非線形的に増加してから、前記ウイングの前記一方の外縁まで減少する、カテーテル配置支援装置。
【請求項３】
カテーテル配置支援装置であって、
谷で合流する一対のウイングであって、各々が湾曲した輪郭を有する、ウイングと、
前記谷の一端から突出するスパウトであって、入口開口の一方の側を形成し、そこを通して尿道口が最適に可視化され得る、スパウトと、
前記谷の他端から突出する後方シールドと、を備え、
前記ウイングは終端する前に前記入口開口の周りで互いに重なり合う、又は前記ウイングは終端する前に前記入口開口に隣接する永久間隙を形成し、
前記ウイングの一方の各表面点の接線と前記ウイングの正中線とによって前記ウイングに沿った表面点について決定された角度ａが、前記スパウトおよび谷から非線形的に減少してから増加し、次いで前記ウイングの前記一方の外縁まで減少する、カテーテル配置支援装置。
【請求項４】
前記ウイングは、展性材料、弾性材料、および展性金属ワイヤ、のうちの少なくとも１つである、請求項１〜３の何れか一項に記載のカテーテル配置支援装置。
【請求項５】
前記ウイングの各々は、前記カテーテル配置支援装置が適所にあるときに患者の陰唇の内側に接触して位置される患者側表面と、前記カテーテル配置支援装置が適所にあるときに陰唇と接触しない臨床医側表面とを有し、
前記ウイングの各々は、
（i）臨床医側表面上に取り付けられたライト、
（ii）スワブ保管部、
（iii）前記臨床医側表面上のハンドル、
（iv）カテーテルを配置する臨床医に容易にアクセス可能である場所に滅菌カテーテルを保持するためのカテーテル先端ホルダ、
のうち少なくとも１つをさらに備える、
請求項１〜３の何れか一項に記載のカテーテル配置支援装置。
【請求項６】
前記ハンドルは、前記カテーテル配置支援装置が適所にあるときに表面に載置される屈曲可能な端部を含む、請求項５に記載のカテーテル配置支援装置。
【請求項７】
前記ウイングは、終端する前に前記入口開口に隣接する永久間隙を形成し、前記永久間隙にはテープが架けられ、前記テープは、前記テープを取り外すためのタブを有し、前記永久間隙は、閉じられるように変形可能である、および常に離間している、のうち少なくとも１つである、２つの側面を有する、請求項２又は３に記載のカテーテル配置支援装置。
【請求項８】
カテーテル配置支援装置を使用する方法であって、
谷で合流する一対のウイングであって、各々が湾曲した輪郭を有する、ウイングと、前記谷の一端に形成されたスパウトと、前記谷の他端から延在する後方シールドと、を有する、カテーテル配置支援装置の前記スパウトおよび前記谷で泌尿生殖器裂をたどることと、
前記カテーテル配置支援装置の前記スパウト、前記谷、および前記ウイングで第１の小陰唇を分離することと、
前記カテーテル配置支援装置の前記スパウト、前記谷、および前記ウイングで第２の大陰唇を分離することと、
前記カテーテル配置支援装置の後方シールドで会陰組織を覆うことと、
入口開口を通して尿道口の可視化を可能にすることと、
前記入口開口を通して前記尿道口にカテーテルを挿入することと、
陰唇の非対称性に適応するために泌尿生殖器裂をたどる前に前記ウイングを成形することと、
含む、方法。
【請求項９】
前記スパウトを患者の膣前庭に挿入することを含む、請求項８に記載の方法。
【請求項１０】
前記カテーテル配置支援装置のライトを点灯すること、および前記カテーテル配置支援装置の保管場所から抗菌スワブを取り出すこと、のうちの少なくとも１つを含む、請求項８に記載の方法。
【請求項１１】
前記カテーテル配置支援装置のハンドルを使用して前記カテーテル配置支援装置を配置すること、前記カテーテル配置支援装置の前記ハンドルを使用して前記カテーテル配置支援装置を取り外すこと、および前記カテーテル配置支援装置の前記ハンドルの一端を表面上に載置すること、のうちの少なくとも１つを含む、請求項８に記載の方法。
【請求項１２】
前記入口開口内の前記可視化された尿道口を通して滅菌導尿カテーテルを挿入することを含む、請求項８に記載の方法。
【請求項１３】
挿入されたカテーテルの管の一部を、前記入口開口を形成する前記ウイングの重なり合う部分の間の潜在間隙内に形成された空間を通して動かすこと、および前記ウイングの間の永久間隙からテープを取り外し、挿入されたカテーテルの管の一部を前記ウイングの間の前記永久間隙を通して動かすこと、のうちの少なくとも１つによって前記カテーテル配置支援装置を取り外すことを含む、請求項８に記載の方法。
【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
手術器具（１０）を個別に認識又は検出するためのＦＲＡＭ記憶装置（２０）を備えた手術器具（１０）。
【請求項２】
前記手術器具（１０）は、電気手術器具である、請求項１に記載の手術器具（１０）。
【請求項３】
前記ＦＲＡＭ記憶装置（２０）は、前記手術器具（１０）のシャフト又はハウジングに配置又は搭載される、請求項１又は２に記載の手術器具（１０）。
【請求項４】
前記手術器具（１０）はケーブルを有し、前記ＦＲＡＭ記憶装置（２０）は前記ケーブルの中又は上に配置又は設置される、請求項１〜３のいずれか１項に記載の手術器具（１０）。
【請求項５】
前記ケーブルは、電源ケーブル又は接続ケーブルである、請求項４に記載の手術器具（１０）。
【請求項６】
前記手術器具（２０）の前記ケーブルは接続継手を備えて構成され、前記接続継手は前記ＦＲＡＭ記憶装置（２０）を備えて構成される、請求項４又は５に記載の手術器具（１０）。
【請求項７】
前記接続継手はプラグである、請求項６に記載の手術器具（１０）。
【請求項８】
前記手術器具（１０）は、電気手術による生物組織の凝固及び／又は切除を行うためのアプリケータとして構成される、請求項１から７のいずれか一項に記載の手術器具（１０）。
【請求項９】
前記アプリケータは、バイポーラのアプリケータである、請求項８に記載の手術器具（１０）。
【請求項１０】
ＦＲＡＭ記憶装置（２０）の使用方法であって、請求項１から９のいずれか一項に記載の手術器具（１０）においてＦＲＡＭ記憶装置（２０）を使用する、使用方法。
【請求項１１】
前記手術器具（１０）は、電気手術器具である、請求項１０に記載の使用方法。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
有効量のプロテアーゼ阻害剤を含む限定培養培地であって、基質接着のない懸濁培養法による培養において、ヒト多能性幹細胞を多能性状態に維持することができる限定培養培地。
【請求項２】
前記プロテアーゼ阻害剤が、フェニルメチルスルホニルフルオリド（ＰＭＳＦ）である、請求項１に記載の限定培養培地。
【請求項３】
前記プロテアーゼ阻害剤が、トシル−Ｌ−リシル−クロロメタンヒドロクロリド（ＴＬＣＫ）である、請求項１に記載の限定培養培地。
【請求項４】
ＧＳＫ３β阻害剤をさらに含む、請求項１〜３のいずれか一項に記載の限定培養培地。
【請求項５】
ＷＮＴ３Ａポリペプチドをさらに含む、請求項１〜４のいずれか一項に記載の限定培養培地。
【請求項６】
前記ＷＮＴ３Ａポリペプチドの安定化剤をさらに含み、但し、前記安定化剤は脂質ベシクルではない、請求項５に記載の限定培養培地。
【請求項７】
前記限定培養培地が、０．００９μＭを超える量のＥＲＫ１／２阻害剤を含まない、請求項１〜６のいずれか一項に記載の限定培養培地。
【請求項８】
ＥＲＫ１／２阻害剤を含まない、請求項１〜６のいずれか一項に記載の限定培養培地。
【請求項９】
前記ＧＳＫ３β阻害剤がＣＨＩＲ９９０２１である、請求項４に記載の限定培養培地。
【請求項１０】
白血病阻止因子（ＬＩＦ）をさらに含む、請求項１〜９のいずれか一項に記載の限定培養培地。
【請求項１１】
ＩＬ６ＲＩＬ６キメラをさらに含む、請求項１〜１０のいずれか一項に記載の限定培養培地。
【請求項１２】
無血清である、請求項１〜１１のいずれか一項に記載の限定培養培地。
【請求項１３】
１ｎｇ／ｍｌを超える量の塩基性線維芽細胞増殖因子（ｂＦＧＦ）を含まない、請求項１〜１２のいずれか一項に記載の限定培養培地。
【請求項１４】
細胞と、請求項１〜１３のいずれか一項に記載の限定培養培地とを含む細胞培養物。
【請求項１５】
基質接着のない懸濁培養法によって多能性幹細胞を培養する方法であって、
請求項１〜１３のいずれか一項に記載の限定培養培地中で前記多能性幹細胞を培養し、それによって、前記多能性幹細胞の懸濁培養を実施することを含む、方法。
【手続補正２】
【補正対象書類名】明細書
【補正対象項目名】００１３
【補正方法】変更
【補正の内容】
【００１３】
本発明の一部の実施形態の態様によれば、細胞と、本発明の限定培養培地とを含む細胞培養物が提供される。
【手続補正３】
【補正対象書類名】明細書
【補正対象項目名】００１４
【補正方法】変更
【補正の内容】
【００１４】
本発明の一部の実施形態の態様によれば、基質接着のない懸濁培養法によって多能性幹細胞を培養する方法であって、本発明の培養培地中で多能性幹細胞を培養し、それによって、多能性幹細胞の懸濁培養を実施することを含む、方法が提供される。
【手続補正４】
【補正対象書類名】明細書
【補正対象項目名】０３７２
【補正方法】変更
【補正の内容】
【０３７２】
リアルタイムＰＣＲ：  Ｔｒｉ−Ｒｅａｇｅｎｔ（米国、モンタナ州、セントルイス、Ｓｉｇｍａ社製）を製造業者の指示書に従って使用し、懸濁液中で１０〜１５回継代して増殖させたｈＰＳＣから総ＲＮＡを単離した。ＭＭＬＶ逆転写酵素ＲＮａｓｅ  Ｈマイナス（米国、ウイスコンシン州、マディソン、Ｐｒｏｍｅｇａ社製）を使用して、１μｇの総ＲＮＡからｃＤＮＡを合成した。ＰＣＲ反応は、９４℃で５分間の変性、次いで、９４℃で３０秒、アニーリング温度で３０秒および７２℃で３０秒の伸長の反復サイクルを含んでいた。使用したＰＣＲプライマーおよび反応条件を、以下の表５に記載する。
【手続補正書】
【提出日】令和2年7月8日(2020.7.8)
【手続補正１】
【補正対象書類名】明細書
【補正対象項目名】００８１
【補正方法】変更
【補正の内容】
【００８１】
限外濾過には鉱物膜を使用することが好ましい。例えば、カットオフ閾値が５〜１５ｋＤａ、好ましくは８〜１２ｋＤａ、通常は約１０ｋＤａの管状セラミック膜が使用される。
【手続補正２】
【補正対象書類名】明細書
【補正対象項目名】００９９
【補正方法】変更
【補正の内容】
【００９９】
この連続法の全体の収率は２７％である。デカンテーション及び遠心分離の工程で得られるペレット並びにＭＦ工程で得られる保持液をリサイクルし、それらを更なる分離サイクル（遠心分離、ＭＦ、ＵＦ）にかけることによって、５０％の収率に近づけることが可能である。
実施例３ｂ：  本発明による連続法
フィルタープレス、次いでセラミック膜ＭＦ及びセラミック膜ＵＦによる分離の連続法。
【手続補正書】
【提出日】令和2年7月2日(2020.7.2)
【手続補正１】
【補正対象書類名】特許請求の範囲
【補正対象項目名】全文
【補正方法】変更
【補正の内容】
【特許請求の範囲】
【請求項１】
受託番号ＣＥＣＴ  ９１３９下でSpanish Type Culture Collectionに寄託された株である、ラクトコッカス・ラクティス。
【請求項２】
２，３−ブタンジオールを産生する方法であって、請求項１に記載の細菌株による炭水化物リッチ培地の好気性発酵を含む方法。
【請求項３】
以下のステップ：
（ａ）請求項１に記載の株を予備培養するステップと、
（ｂ）ステップ（ａ）で得られた予備培養物を炭水化物リッチ培地に接種するステップと、
（ｃ）２０〜４０℃、ｐＨ５．５〜６．０及び５〜１００％の溶解酸素濃度において、ステップ（ｂ）で接種された前記培地中に存在する炭水化物を発酵させるステップと、
（ｄ）ステップ（ｃ）から得られた発酵培養液から細胞を分離するステップと
を含む、請求項２に記載の２，３−ブタンジオールを産生する方法。
【請求項４】
ステップ（ｄ）から得られた前記無細胞発酵培養液中に存在する前記２，３−ブタンジオールを精製するステップをさらに含む、請求項３に記載の２，３−ブタンジオールを産生する方法。
【請求項５】
アセトインを産生する方法であって、請求項１に記載の細菌株による炭水化物リッチ培地の好気性発酵を含む方法。
【請求項６】
以下のステップ：
（ａ）請求項１に記載の株を予備培養するステップと、
（ｂ）ステップ（ａ）で得られた予備培養物を炭水化物リッチ培地に接種するステップと、
（ｃ）２０〜４０℃、ｐＨ６．５〜７．５及び３０〜１００％の溶解酸素濃度において、ステップ（ｂ）で接種された前記培地中に存在する炭水化物を発酵させるステップと、
（ｄ）ステップ（ｃ）から得られた発酵培養液から細胞を分離するステップと
を含む、請求項５に記載のアセトインを産生する方法。
【請求項７】
ステップ（ｄ）から得られた前記無細胞発酵培養液中に存在する前記アセトインを精製するステップをさらに含む、請求項６に記載のアセトインを産生する方法。
【請求項８】
乳酸を産生する方法であって、請求項１に記載の細菌株による炭水化物リッチ培地の嫌気性発酵を含む方法。
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
（a）DNAオリゴと（b）DNA消化作用物質と（c）キャップ形成および/またはポリアデニル化されているターゲティングRNAとを含む組成物を、エレクトロポレーションにより細胞にトランスフェクトする工程
を含む、該細胞における標的ゲノムDNA領域の部位特異的な配列改変のための方法であって、
該DNAオリゴが、
（i）該標的ゲノムDNA領域に相同なDNA配列を含む相同領域と、
（ii）配列改変領域と
を含み、かつ
該標的ゲノムDNA領域においてゲノムDNA配列が特異的に改変される、方法。
【請求項２】
エレクトロポレーションが、フローエレクトロポレーションデバイスを用いるフローエレクトロポレーションである、請求項1に記載の方法。
【請求項３】
前記DNA消化作用物質がヌクレアーゼである、または、前記DNA消化作用物質がCas9を含むヌクレアーゼである、請求項1〜2のいずれか一項に記載の方法。
【請求項４】
前記ヌクレアーゼが部位特異的なヌクレアーゼである、かつ／または、前記ターゲティングRNAがガイドRNAを含む、請求項1〜3のいずれか一項に記載の方法。
【請求項５】
前記オリゴが一本鎖である、請求項1〜4のいずれか一項に記載の方法。
【請求項６】
前記DNAオリゴが10個超の核酸である、前記DNAオリゴが10〜800個の核酸である、前記DNAオリゴが10〜600個の核酸である、前記DNAオリゴが10〜200個の核酸である、前記DNAオリゴが10〜100個の核酸である、または、前記DNAオリゴが10〜50個の核酸である、請求項1〜5のいずれか一項に記載の方法。
【請求項７】
前記組成物中の前記DNAオリゴの濃度が10μg/mLを上回る、前記組成物中の前記DNAオリゴの濃度が約10μg/mL〜約500μg/mLである、前記組成物中の前記DNAオリゴの濃度が約35μg/mL〜約300μg/mLである、もしくは、前記組成物中の前記DNAオリゴの濃度が約35μg/mL〜約200μg/mLである；かつ／または
前記組成物が非ウイルス性である；かつ／または
前記細胞が哺乳動物細胞である、前記細胞がヒト細胞である、前記細胞が線維芽細胞である、前記細胞が哺乳動物由来の末梢血リンパ球である、前記細胞が哺乳動物由来の増殖したT細胞である、前記細胞が哺乳動物由来の初代細胞である、前記細胞が幹細胞である、前記細胞が造血幹細胞である、もしくは、前記細胞が間葉系幹細胞である、
請求項1〜6のいずれか一項に記載の方法。
【請求項８】
前記ゲノムDNA配列が疾患関連遺伝子を含む、もしくは、前記ゲノムDNA配列が慢性肉芽腫性疾患関連遺伝子を含む；かつ／または
前記ゲノムDNA配列がgp91phox遺伝子を含む、請求項1〜7のいずれか一項に記載の方法。
【請求項９】
前記ゲノムDNA配列がHBB遺伝子を含む、かつ／または、前記配列改変が前記ゲノムDNAの修正であり、該修正により前記HBB遺伝子の6番目のコドンがグルタミン酸コドンに改変される、請求項1〜8のいずれか一項に記載の方法。
【請求項１０】
前記オリゴが、核酸少なくとも10個の相同配列を含む、前記オリゴが、核酸少なくとも20個の相同配列を含む、もしくは、前記オリゴが、核酸少なくとも30個の相同配列を含む；かつ／または
前記配列改変の効率が3%超である、前記配列改変の効率が5%超である、もしくは、前記配列改変の効率が10%超である；かつ／または
前記エレクトロポレーション後の細胞生存率が少なくとも30%である、前記エレクトロポレーション後の細胞生存率が少なくとも40%である、もしくは、前記エレクトロポレーション後の細胞生存率が少なくとも50%である；かつ／または
前記DNA配列改変が、1つまたは複数の終止コドンである；かつ／または
前記組成物が、異なる相同配列を有する2つまたはそれ以上のDNAオリゴを含む、前記組成物が、2つまたはそれ以上のDNA消化作用物質を含む、および／もしくは、前記組成物が、2つまたはそれ以上の部位特異的なDNA消化作用物質を含み、該DNA消化作用物質が、異なるゲノム部位を標的にする；かつ／または
前記配列改変により前記ゲノム配列の1塩基対または複数の塩基対が変化する、前記配列改変により前記ゲノム配列の1塩基対または複数の塩基対が付加される、もしくは、前記配列改変により前記ゲノム配列の1塩基対または複数の塩基対が欠失する、
請求項1〜9のいずれか一項に記載の方法。
【請求項１１】
前記細胞が患者から単離された細胞である；かつ／または
前記細胞が凍結保存されている、前記細胞が前記細胞のトランスフェクション前1週間以内の時期に前記患者から単離されている、もしくは、前記細胞が前記細胞のトランスフェクション前1日以内の時期に前記患者から単離されている、かつ／または
前記細胞が凍結されていない単離された細胞である；かつ／または
前記細胞が、2つまたはそれ以上の異なる細胞型を含む単離された細胞である、もしくは、前記細胞が、多能性に関する異なる段階における2つまたはそれ以上の細胞型を含む単離された細胞である；かつ／または
前記配列改変の効率が3%超である、前記配列改変の効率が5%超である、もしくは、前記配列改変の効率が10%超である、
請求項1〜10のいずれか一項に記載の方法。
【請求項１２】
前記エレクトロポレーション後の細胞生存率が少なくとも30%である、前記エレクトロポレーション後の細胞生存率が少なくとも40%である、もしくは、前記エレクトロポレーション後の細胞生存率が少なくとも50%である；かつ／または
前記細胞が対象の骨髄から単離されている；かつ／または
前記細胞が幹細胞を含む、前記細胞が造血幹細胞を含む幹細胞を含む、もしくは、前記細胞が細胞表面マーカーCD34+を含む幹細胞を含む、
請求項1〜11のいずれか一項に記載の方法。
【請求項１３】
前記DNA配列改変を有するクローン細胞を産生するために、単離および選択されたクローン細胞を増殖させる工程をさらに含む；かつ／または
前記細胞が大規模製造のために増殖される、前記細胞が1L超の体積で増殖される、もしくは、前記細胞が3Lまたはそれ以上の体積で増殖される；かつ／または
前記細胞が無血清培地中で培養される；かつ／または
前記配列改変について前記細胞をスクリーニングする工程をさらに含む；かつ／または
トランスフェクトされた細胞を凍結させる工程をさらに含む、かつ／または
以前に凍結させたトランスフェクトされた細胞を増殖させる工程をさらに含む、
請求項1〜12のいずれか一項に記載の方法。
【請求項１４】
請求項1〜13のいずれか一項に記載の方法を使用して産生された、エレクトロポレーションされた細胞。
【請求項１５】
請求項14に記載のエレクトロポレーションされた細胞の有効量を含む、疾患もしくは状態を有するかまたは疾患もしくは状態を有することが疑われる対象の処置に使用するための組成物。
【手続補正書】
【提出日】令和2年6月4日(2020.6.4)
【手続補正１】
【補正対象書類名】特許請求の範囲
【補正対象項目名】全文
【補正方法】変更
【補正の内容】
【特許請求の範囲】
【請求項１】
乾燥コーヒー粉末を製造するためのプロセスであって、
（ｉ）０〜１１０℃の温度の水を使用して、焙煎及び粉砕コーヒー豆からコーヒー固形分を抽出して、第１コーヒー抽出物を得るステップと、
（ｉｉ）０．１〜１００ｋＤａの分子量カットオフを有する選択的透過膜を使用して、前記第１コーヒー抽出物を濾過して、低分子量成分濃度を低減するステップであって、前記透過膜を透過する低分子量コーヒー固形分が透過液を形成し、前記透過膜に保持される高分子量コーヒー固形分が保持分画を形成するステップと、
（ｉｉｉ）前記保持分画を乾燥させて、乾燥コーヒー粉末を形成するステップと、を含み、
前記乾燥コーヒー粉末が、１ｋＤａより大きい分子量を有する成分対１ｋＤａより少ない分子量を有する成分の濃度の比が少なくとも５であるように構成される、プロセス。
【請求項２】
前記選択的透過膜が、１ｋＤａの分子量カットオフを有する、請求項１に記載のプロセス。
【請求項３】
前記保持分画が乾燥前に濃縮される、請求項１又は２に記載のプロセス。
【請求項４】
請求項１〜３のいずれか一項に記載のプロセスにより得られる乾燥コーヒー粉末。
【請求項５】
窒素を注入したコーヒー飲料を製造するための請求項４に記載の乾燥コーヒー粉末の使用。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
5'から3'方向に:
配列番号1若しくはその変異型又は配列番号2若しくはその変異型を含む第1の配列、
配列番号3又はその変異型を含む第2の配列、
配列番号1若しくはその変異型又は配列番号2若しくはその変異型を含む第3の配列、及び
配列番号3又はその変異型を含む第4の配列
を含むアプタマーであって、第1の配列及び第3の配列のそれぞれが、14〜18ヌクレオチド長であり、互いに長さが等しく、その全長に沿って互いに100%相補的であり、
第2の配列及び第4の配列が12ヌクレオチド長であり、互いに同一である、アプタマー。
【請求項２】
第1の配列の5'端と第4の配列の3'端の間に共有結合がある、請求項1に記載のアプタマー。
【請求項３】
共有結合がホスホジエステル結合である、請求項2に記載のアプタマー。
【請求項４】
第1の配列内の2つのヌクレオチド間に共有結合がなく、アプタマーが5'末端及び3'末端を含む、請求項2又は3に記載のアプタマー。
【請求項５】
第3の配列内の2つのヌクレオチド間に共有結合がなく、アプタマーが5'末端及び3'末端を含む、請求項2又は3に記載のアプタマー。
【請求項６】
第1の配列が配列番号1を含み、第3の配列が配列番号2を含み、配列番号1のヌクレオチド8と9の間に共有結合がない、請求項2から5のいずれか一項に記載のアプタマー。
【請求項７】
第1の配列が配列番号2を含み、第3の配列が配列番号2を含み、配列番号2のヌクレオチド8と9の間に共有結合がない、請求項2から5のいずれか一項に記載のアプタマー。
【請求項８】
第1の配列が配列番号2を含み、第3の配列が配列番号3を含む、請求項1から6のいずれか一項に記載のアプタマー。
【請求項９】
第1の配列及び第3の配列が、第1の配列及び第3の配列のそれぞれの全長に沿って互いにハイブリダイズされる、請求項1から8のいずれか一項に記載のアプタマー。
【請求項１０】
第1の配列と第3の配列の間にミスマッチがない、請求項9に記載のアプタマー。
【請求項１１】
配列番号106を含む、請求項6に記載のアプタマー。
【請求項１２】
配列番号110を含む、請求項7に記載のアプタマー。
【請求項１３】
5'末端がリン酸化されている、請求項4から10のいずれか一項に記載のアプタマー。
【請求項１４】
3'末端が3'キャッピング部分に連結されている、請求項4から13のいずれか一項に記載のアプタマー。
【請求項１５】
5'末端が5'キャッピング部分に連結されている、請求項4から13のいずれか一項に記載のアプタマー。
【請求項１６】
3'末端が3'キャッピング部分に連結され、5'末端が5'キャッピング部分に連結されている、請求項4から13のいずれか一項に記載のアプタマー。
【請求項１７】
3'キャッピング部分がプロパンジオールスペーサー(C3)又はリン酸である、請求項14又は16に記載のアプタマー。
【請求項１８】
5'キャッピング部分がアミノ基である、請求項15又は16に記載のアプタマー。
【請求項１９】
請求項1から18のいずれか一項に記載のアプタマー及び熱安定性ポリメラーゼを含む組成物。
【請求項２０】
ポリメラーゼに対するアプタマーの比が約5:1〜20:1の範囲である、請求項19に記載の組成物。
【請求項２１】
プライマーを伸長する方法であって、
標的核酸を含有し得る試料を試薬組成物と接触させて反応混合物を生成する工程を含み、試薬組成物が請求項1から18のいずれか一項に記載のアプタマー、熱安定性ポリメラーゼ、標的核酸に特異的なフォワードプライマー、デオキシリボヌクレオチド三リン酸、及び二価の金属陽イオンを含む、方法。
【請求項２２】
ポリメラーゼに対するアプタマーの比が約5:1〜20:1の範囲である、請求項21に記載の方法。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
緊急出動センター（ＥＤＣ）との緊急通信セッションを検出し、および緊急出動センター（ＥＤＣ）に緊急事態の情報を知らせる緊急データを提供する方法であって、該方法は：
ａ）通信装置によって、緊急出動センター（ＥＤＣ）との緊急通信を自発的に検出する工程；
ｂ）通信装置によって、通信装置の位置データと、静的データおよび動的データの少なくとも１つとを含む緊急データを自発的に取得する工程；および
ｃ）通信装置によって、緊急通信セッションからの代替のデータチャネルを通じて緊急出動センター（ＥＤＣ）に緊急データを自発的に伝送する工程であって、動的データの伝送が静的データよりも頻繁に生じる、工程、
を含む方法。
【請求項２】
緊急通信セッションは、通信装置の固有のダイヤラーを介して開始された緊急通報であることを特徴とする、請求項１に記載の方法。
【請求項３】
固有のダイヤラーを介して開始された緊急通報は、緊急連絡先を呼び出すことにより行なわれることを特徴とする、請求項２に記載の方法。
【請求項４】
緊急通信セッションは、通信装置のユーザーによって選択されたワンタッチ呼出しオプションによって開始されることを特徴とする、請求項１に記載の方法。
【請求項５】
緊急通信セッションは緊急データを要求するＥＤＣからのプッシュ通知を含むことを特徴とする、請求項１に記載の方法。
【請求項６】
緊急通信セッションはＳＭＳメッセージを含むことを特徴とする、請求項１に記載の方法。
【請求項７】
緊急データは、代替のデータチャネルを通じてＥＤＣに伝送され、その間、ＥＤＣとの救急通信セッションは進行中であることを特徴とする、請求項１に記載の方法。
【請求項８】
通信装置は緊急データを更新し、および更新された緊急データをＥＤＣに自発的に伝送することを特徴とする、請求項１に記載の方法。
【請求項９】
通信装置はトークンを割り当てられ、該トークンは該トークンにタグ付けされたデータリクエストを事前認証し、ここで通信装置はトークンにタグ付けされたデータリクエストに応えて緊急データを伝送することを特徴とする、請求項１に記載の方法。
【請求項１０】
通信装置は、通信装置上のセンサー、通信装置に近接するセンサー、通信装置に近接する別の通信装置に関係するセンサー、通信装置とのネットワークにあるセンサー、および通信装置とのネットワークにある別の通信装置に関係するセンサーの少なくとも１つから緊急データを得ることを特徴とする、請求項１に記載の方法。
【請求項１１】
緊急通信セッションは、ユーザーが、ソフトボタン、ハードボタン、あるいは非常ボタンを押すことによって、または、通信装置上に音声コマンドを提供することによって、開始され、通信装置はモバイルワイヤレスデバイスであることを特徴とする、請求項１に記載の方法。
【請求項１２】
緊急データは、ＥＤＣにデータを返すことに関して１つ以上の基準に従って特定されることを特徴とする、請求項１に記載の方法。
【請求項１３】
１つ以上の基準は
ａ．最近の位置データが利用可能でない場合、位置データを返さない；
ｂ．静的データを返す；あるいは、
ｃ．更新された位置データが利用可能であるときに、更新された位置データを返す
の少なくとも１つを含むことを特徴とする、請求項１２に記載の方法。
【請求項１４】
緊急データはデバイス番号、緯度、経度、および位置精度を含むことを特徴とする、請求項１に記載の方法。
【請求項１５】
緊急データは暗号化されたＨＴＴＰＳ、データＳＭＳ、またはその両方を介してＥＤＣに伝送され、緊急データは緊急管理システムを通じてＥＤＣに送られることを特徴とする、請求項１に記載の方法。
【請求項１６】
通信装置はトークンを割り当てられたモバイルワイヤレスデバイスであり、該トークンは該トークンにタグ付けされたデータリクエストを事前認証し、モバイルワイヤレスデバイスは、緊急管理システムによって送られたトークンにタグ付けされたデータリクエストに応えて緊急データを伝送することを特徴とする、請求項１４に記載の方法。
【請求項１７】
少なくとも１つのプロセッサー、メモリ、ネットワーク構成要素、およびコンピュータープログラム、を含むデジタル処理デバイスであって、該コンピュータープログラムは：
ａ）緊急出動センター（ＥＤＣ）との緊急通信セッションを自発的に検出すること；
ｂ）通信装置の位置データと、静的データおよび動的データの少なくとも１つを含む緊急データを自発的に取得すること、
ｃ）緊急通信セッションからの代替のデータチャネルを通じて緊急出動センター（ＥＤＣ）に緊急データを自発的に伝送することであって、動的データの伝送が静的データよりも頻繁に生じる、ことを、行うために、
少なくとも１つのプロセッサーによって実行可能な命令を含む、デジタル処理デバイス。
【手続補正書】
【提出日】令和2年5月13日(2020.5.13)
【手続補正１】
【補正対象書類名】特許請求の範囲
【補正対象項目名】全文
【補正方法】変更
【補正の内容】
【特許請求の範囲】
【請求項１】
超薄型、耐放射線性光起電力（ＰＶ）デバイスであって、
残光蛍光体が埋め込まれたハンドルに実装された超薄型ＰＶ吸収体を備えるＰＶ素子
を備え、
前記ＰＶ素子が、前記ＰＶ吸収体によって吸収された光子からのエネルギーを電力に変換し、
前記超薄型ＰＶ吸収体が、前記ＰＶデバイスが太陽により照射されている間、前記ＰＶ吸収体が最初に前記ＰＶデバイスに入射する前記光子のすべてを吸収するのを阻止するように構成された厚さを有し、
前記ハンドル内の前記蛍光体が、前記ＰＶ吸収体によって最初に吸収されなかった複数の前記光子を吸収し、前記吸収した光子を前記ＰＶ吸収体に戻るように放出するように構成され、
前記ＰＶデバイスが太陽により照射されていないとき、前記ＰＶ素子が、前記ＰＶ吸収体における前記蛍光体が帯電した光子を用いて電力を発生させる、ＰＶデバイス。
【請求項２】
前記ＰＶ吸収体が、約３００ｎｍ以下の厚さを有するＩＩＩ−Ｖ半導体材料を含む、請求項１に記載のＰＶデバイス。
【請求項３】
前記ＰＶ吸収体がＧａＡｓを含む、請求項１に記載のＰＶデバイス。
【請求項４】
前記ＰＶ吸収体がＩｎＰを含む、請求項１に記載のＰＶデバイス。
【請求項５】
前記ＰＶ吸収体が、約２μｍ以下の厚さを有するシリコン（Ｓｉ）を含む、請求項１に記載のＰＶデバイス。
【請求項６】
前記蛍光体が埋め込まれたハンドルの背面が凹凸化されて、前記ＰＶデバイスが太陽により照射されている間に電流を発生させるために使用されるように、前記蛍光体に入射する複数の前記光子を前記ＰＶ素子に戻るように反射するように構成された反射体を提供する、請求項１に記載のＰＶデバイス。
【請求項７】
前記蛍光体が埋め込まれたハンドルの前記凹凸化された背面が均等拡散面反射体を含む、請求項６に記載のＰＶデバイス。
【請求項８】
前記蛍光体が埋め込まれたハンドルの前記凹凸化された背面が、０．１ｎｍ〜１ｎｍの二乗平均粗さを有する均等拡散面反射体を含む、請求項６に記載のＰＶデバイス。
【請求項９】
前記蛍光体が埋め込まれたハンドルの前記背面が光散乱光子構造を含む、請求項１に記載のＰＶデバイス。
【請求項１０】
前記ＰＶ素子が、前記ＰＶ素子の正面に複数の交互配置された上部接点および下部接点をさらに備える、請求項１に記載のＰＶデバイス。
【請求項１１】
前記ＰＶ吸収体が、太陽からの放射線に対する曝露の結果として欠陥サイトを含み、
前記ＰＶ吸収体の前記厚さが、前記ＰＶ素子で光生成された電荷キャリアが前記欠陥サイトで再結合し、前記電荷キャリアが前記上部接点および前記下部接点まで輸送される前に光生成された電流の劣化をもたらすのを防止するように構成されている、請求項１に記載のＰＶデバイス。
【請求項１２】
前記ハンドルが可撓性膜を備える、請求項１に記載のＰＶデバイス。
【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
装置であって、
別の装置によって送信されたトリガ信号を受信するように構成された送受信回路であって、前記トリガ信号は前記装置を含む第１のグループの装置による送信をトリガし、前記トリガ信号は、前記第１のグループの装置による前記送信との干渉が回避されるように、第２のグループの装置による送信を遅延させることを前記第２のグループの装置に示す、送受信回路と、
前記トリガ信号に応答して、前記第１のグループの装置により用いられる第１のプリアンブル構造を持つフレームを生成することであって、前記第１のプリアンブル構造は、前記第２のグループの装置により用いられる第２のプリアンブル構造とは異なる、生成することと、前記生成されたフレームを送信のために前記送受信回路に提供することとを行うように構成された処理回路と、を備える、装置。
【請求項２】
前記処理回路は、前記トリガ信号から、前記別の装置によって決定された物理層における１または複数の送信制御パラメータを復号し、前記１または複数の送信制御パラメータを送信のために用い、および、送信のために前記フレーム内で前記１または複数の送信制御パラメータを示さないように、前記第１のプリアンブル構造を簡素化する、ように構成されている、請求項１に記載の装置。
【請求項３】
前記処理回路は、前記トリガ信号から、変調符号化方式、多入力多出力パラメータおよびデータユニット長のうち少なくとも１つを復号するように構成されている、請求項２に記載の装置。
【請求項４】
前記処理回路は、前記１または複数の送信制御パラメータを保持する信号フィールドを省略するように、前記第１のプリアンブル構造を簡素化するように構成されている、請求項２または３に記載の装置。
【請求項５】
前記処理回路は、前記第１のプリアンブル構造において、前記第２のプリアンブル構造の１または複数のフィールドを省略するように構成されている、請求項２から４のいずれか一項に記載の装置。
【請求項６】
前記処理回路は、前記第１のプリアンブル構造において、物理層の分類情報を省略するように構成されている、請求項２から４のいずれか一項に記載の装置。
【請求項７】
前記第１のプリアンブル構造は、前記第２のプリアンブル構造におけるパターンより、時間／周波数領域において、さらに重複したパターンを含むように構成されている、請求項１から６のいずれか一項に記載の装置。
【請求項８】
前記処理回路は、前記トリガ信号内の指標に基づき、前記装置によってサポートされる複数のプリアンブル構造から前記第１のプリアンブル構造を選択するように構成されている、請求項１から７のいずれか一項に記載の装置。
【請求項９】
前記処理回路は、前記送受信回路に、前記トリガ信号に応答して、クリアチャネルアセスメントなしで送信させるように構成されている、請求項１から８のいずれか一項に記載の装置。
【請求項１０】
前記処理回路は、前記装置によってサポートされる複数のプリアンブル構造から前記第１のプリアンブル構造を選択するように構成されている、請求項１から９のいずれか一項に記載の装置。
【請求項１１】
装置によって、別の装置により送信されたトリガ信号を受信する段階であって、前記トリガ信号は、前記装置を含む第１のグループの装置による送信をトリガし、前記トリガ信号は、前記第１のグループの装置による前記送信との干渉が回避されるように、第２のグループの装置による送信を遅延させることを前記第２のグループの装置に示す、段階と、
前記第１のグループの装置により用いられる第１のプリアンブル構造を持つフレームを生成する段階であって、前記第１のプリアンブル構造は、前記第２のグループの装置により用いられる第２のプリアンブル構造とは異なる、段階と、
前記生成されたフレームを保持する信号を送信する段階と、を備える、送信のための方法。
【請求項１２】
前記第２のグループの装置により用いられる前記第２のプリアンブル構造とは異なる前記第１のプリアンブル構造を持つ前記フレームを生成する段階は、さらに、
前記トリガ信号から、前記別の装置によって決定された、物理層における１または複数の送信制御パラメータを復号する段階と、
送信のために前記フレーム内で前記１または複数の送信制御パラメータを示さないように、前記第１のプリアンブル構造を簡素化する段階と、
前記１または複数の送信制御パラメータに基づき、前記生成されたフレームを保持する前記信号を送信する段階と、を含む、請求項１１に記載の方法。
【請求項１３】
前記トリガ信号から、前記別の装置によって決定された、物理層における前記１または複数の送信制御パラメータを復号する段階は、さらに、
前記トリガ信号から、変調符号化方式、多入力多出力パラメータおよびデータユニット長のうち少なくとも１つを復号する段階を含む、請求項１２に記載の方法。
【請求項１４】
送信のために前記フレーム内で前記１または複数の送信制御パラメータを示さないように、前記第１のプリアンブル構造を簡素化する段階は、さらに、
前記１または複数の送信制御パラメータを保持する信号フィールドを省略するように、前記第１のプリアンブル構造を簡素化する段階を含む、請求項１２または１３に記載の方法。
【請求項１５】
前記第１のプリアンブル構造において、前記第２のプリアンブル構造の１または複数のフィールドを省略する段階をさらに備える、請求項１２から１４のいずれか一項に記載の方法。
【請求項１６】
前記第１のプリアンブル構造において、物理層の分類情報を省略する段階をさらに備える、請求項１２から１４のいずれか一項に記載の方法。
【請求項１７】
前記１または複数の送信制御パラメータに基づき、前記生成されたフレームを保持する前記信号を送信する段階は、さらに、
前記トリガ信号に応答して、クリアチャネルアセスメントなしで送信する段階を含む、請求項１２から１６のいずれか一項に記載の方法。
【請求項１８】
前記第２のプリアンブル構造におけるパターンを時間／周波数領域において繰り返す段階と、
前記繰り替えされたパターンを前記第１のプリアンブル構造に含める段階と、をさらに備える、請求項１１から１７のいずれか一項に記載の方法。
【請求項１９】
前記トリガ信号内の指標に基づき、複数のプリアンブル構造から前記第１のプリアンブル構造を選択する段階をさらに備える、請求項１１から１８のいずれか一項に記載の方法。
【請求項２０】
前記トリガ信号を検出する段階と、
前記装置によりサポートされる複数のプリアンブル構造から前記第１のプリアンブル構造を選択する段階と、さらに備える、請求項１１から１９のいずれか一項に記載の方法。
【手続補正書】
【提出日】令和2年6月21日(2020.6.21)
【手続補正１】
【補正対象書類名】特許請求の範囲
【補正対象項目名】全文
【補正方法】変更
【補正の内容】
【特許請求の範囲】
【請求項１】
装置であって、
ドレイン端子とソース端子とゲート端子とを有するＦＥＴと、
前記ＦＥＴの前記ソース端子と前記ドレイン端子との間の電流導通経路に電流を供給するために結合される第１の供給電圧と、
前記ＦＥＴの電流導通経路を介して流れる電流を受け取るために結合される出力端子と、
前記ＦＥＴのゲート端子に結合されるバイアス電流供給と、
前記ＦＥＴのゲート端子に結合される第２の供給電圧と、
前記ＦＥＴを介して流れる電流に比例する感知電流を出力するために結合される電流感知回路と、
前記感知電流に結合され、前記感知電流を所定の制限電流と比較する電流制限コンパレータと、
前記電流制限コンパレータに結合され、前記ＦＥＴのゲート端子から電流を除去するために結合されるプルダウン電流回路と、
前記感知電流に結合され、感知レート電流を出力する電流時間導関数回路と、
感知レート電流を受け取るために結合され、前記バイアス電流供給に結合される回路と、
を含む、装置。
【請求項２】
請求項１に記載の装置であって、
前記電流制限コンパレータから前記プルダウン電流回路に結合されるイネーブル出力を更に含む、装置。
【請求項３】
請求項１に記載の装置であって、
前記感知レート電流に応答して前記ＦＥＴのゲート端子への前記バイアス電流を低減するための回路要素を更に含む、装置。
【請求項４】
請求項１に記載の装置であって、
前記所定の制限電流がプログラム可能である、装置。
【請求項５】
請求項４に記載の装置であって、
前記所定の制限電流が書き込み可能記憶回路に記憶される、装置。
【請求項６】
請求項１に記載の装置であって、
前記電流時間導関数回路が、前記感知電流の増加のレートが所定の閾値を超えるときに前記感知レート電流を出力する電流レート検出回路を含む、装置。
【請求項７】
請求項１に記載の装置であって、
前記感知レート電流と前記バイアス電流供給との間に結合されるイネーブル回路と、
前記感知電流と基準電流とに結合され、前記イネーブル回路にイネーブル信号を出力する電流レートイネーブルコンパレータ回路と、
を更に含む、装置。
【請求項８】
請求項７に記載の装置であって、
前記電流レートイネーブルコンパレータ回路がスケーリングファクタを含み、前記電流レートイネーブルコンパレータ回路が、前記感知電流と、前記スケーリングファクタと前記所定の制限電流との乗算した積との間の差を、前記基準電流と比較する、装置。
【請求項９】
請求項８に記載の装置であって、
前記スケーリングファクタがプログラム可能である、装置。
【請求項１０】
請求項９に記載の装置であって、
前記スケーリングファクタを記憶するプログラム可能記憶回路を更に含む、装置。
【請求項１１】
請求項１０に記載の装置であって、
前記プログラム可能記憶回路に対処するために結合される外部バスインターフェースを更に含む、装置。
【請求項１２】
方法であって、
イネーブル信号を受信することと、
供給電圧端子と電流を供給するための出力端子との間でＦＥＴの電流導通経路を結合することと、
電圧とプルアップバイアス電流とを前記ＦＥＴのゲート端子に結合することと、
前記ＦＥＴを介して流れる電流を感知することと、
前記ＦＥＴを介して流れる電流を所定の電流制限と比較することと、
前記ＦＥＴを介して流れる電流を所定の電流制限と比較することに応答して、前記ＦＥＴのゲート端子における電流を低減することと、
前記ＦＥＴを介して流れる電流の増加のレートをレート増加閾値と比較することと、
前記ＦＥＴを介して流れる電流の増加のレートを比較することに応答して、前記ＦＥＴのゲート端子への前記プルアップ電流を低減することと、
を含む、方法。
【請求項１３】
請求項１２に記載の方法であって、
前記ＦＥＴを流れる電流の増加のレートを比較することが、
前記ＦＥＴを介して流れる電流を前記所定の電流制限の所定のパーセンテージである閾値と比較することを含む、方法。
【請求項１４】
請求項１２に記載の方法であって、
前記ＦＥＴのゲート端子における電流を低減した後に、前記出力端子における電流を前記所定の電流制限で供給するように前記ＦＥＴを動作させることを更に含む、方法。
【請求項１５】
請求項１２に記載の方法であって、
前記供給電圧端子と電流を供給するための出力端子との間でＦＥＴの電流導通経路を結合することが、前記ＦＥＴのドレイン端子を供給電圧に結合することと、前記ＦＥＴのソース端子を前記出力端子に結合することとを含む、方法。
【請求項１６】
請求項１２に記載の方法であって、
前記供給電圧端子と電流を供給するための出力端子との間でＦＥＴの電流導通経路を結合することが、電流を供給するための端子に前記ＦＥＴのドレイン端子を結合することと、接地電位を受け取るための端子に前記ＦＥＴのソース端子を結合することとを含む、方法。
【請求項１７】
請求項１２に記載の方法であって、
前記電圧とプルアップ電流とを前記ＦＥＴのゲート端子に結合することが、供給電圧より大きい増大されたゲート電圧を供給することを含む、方法。
【請求項１８】
請求項１２に記載の方法であって、
前記ＦＥＴを介して流れる電流を所定の電流制限と比較することが、前記ＦＥＴを介して流れる電流を書き込み可能記憶回路に記憶された調節可能電流制限と比較することを含む、方法。
【請求項１９】
集積回路であって、
電圧供給と負荷との間に結合される電流導通経路を有するパワーＦＥＴのゲートを駆動するための端子と、
供給電圧を前記集積回路に結合するための電圧入力端子と、
前記パワーＦＥＴのゲート端子を駆動するための前記端子と増大された電力供給を結合するための電圧入力端子とに結合されるプルアップバイアス回路と、
前記パワーＦＥＴに流れる電流に比例する電圧を受け取るために前記電圧入力端子に結合され、感知された電流出力を有する電流感知回路と、
前記感知された電流を電流制限と比較する電流制限コンパレータと、
前記電流制限コンパレータと前記パワーＦＥＴのゲートを駆動するための前記端子とに結合されるプルダウン電流回路と、
前記感知された電流に結合される電流時間導関数回路と、
前記電流時間導関数回路と前記プルアップバイアス回路とに結合されるプルアップ電流低減回路と、
を含む、集積回路。
【請求項２０】
請求項１９に記載の集積回路であって、
前記制限電流を設定するための調節可能トリム電流供給を更に含む、集積回路。
【手続補正書】
【提出日】令和2年5月1日(2020.5.1)
【手続補正１】
【補正対象書類名】特許請求の範囲
【補正対象項目名】全文
【補正方法】変更
【補正の内容】
【特許請求の範囲】
【請求項１】
ビデオデータを含むファイルを生成する方法であって、前記方法は、
シングルレイヤまたはマルチレイヤのビットストリームを運ぶ複数のトラックのうちの最も低いトラックであって、ビデオデータの最も低いサブレイヤを運ぶ前記ビデオデータのベースレイヤを含む前記最も低いトラックが、便利なランダムアクセスがイネーブルされていることを示すサンプルに関するサンプルエントリータイプ値を含むことになることを決定することに応答して、便利なランダムアクセスがイネーブルされていることを示すために、ビデオデータを含む前記複数のトラックのうちの他のトラックの各々のサンプルに関するサンプルエントリータイプ値を設定することと、ここにおいて、便利なランダムアクセスは、より早いサンプルからパラメータセットをフェッチすることなしにサンプルから開始するランダムアクセスを備える、
前記複数のトラックのうちの前記トラックに関する前記サンプルエントリータイプ値が、便利なランダムアクセスがイネーブルされていることを示すように、前記複数のトラックを含むファイルを生成することと
を備える、方法。
【請求項２】
前記最も低いトラックおよび前記他のトラックに関する前記サンプルエントリータイプ値は、'hev1'または'hev2'のうちの１つを備える、請求項１に記載の方法。
【請求項３】
前記ビデオデータは、Ｈｉｇｈ−Ｅｆｆｉｃｉｅｎｃｙ  Ｖｉｄｅｏ  Ｃｏｄｉｎｇ（ＨＥＶＣ）またはレイヤードＨＥＶＣ（Ｌ−ＨＥＶＣ）のうちの１つに従って符号化される、請求項１に記載の方法。
【請求項４】
クライアントデバイスに前記サンプルエントリータイプ値のうちの少なくとも１つを送ることと、
前記サンプルエントリータイプ値のうちの前記少なくとも１つを送った後に、前記クライアントデバイスからランダムアクセスサンプルのための要求を受信することと、
前記要求に応答して、前記サンプルを記述し、および前記サンプルに対応するサンプルエントリーにおいて、または前記サンプルにおいて、のうちの少なくとも１つにおいて含まれる、パラメータセットを送ることを含め、前記クライアントデバイスに前記ランダムアクセスサンプルを送ることと
をさらに備える、請求項１に記載の方法。
【請求項５】
ビデオデータを含むファイルを生成するためのデバイスであって、前記デバイスは、
シングルレイヤまたはマルチレイヤのビットストリームを運ぶ複数のトラックのうちの最も低いトラックであって、ビデオデータの最も低いサブレイヤを運ぶ前記ビデオデータのベースレイヤを含む前記最も低いトラックが、便利なランダムアクセスがイネーブルされていることを示すサンプルに関するサンプルエントリータイプ値を含むことになることを決定することに応答して、便利なランダムアクセスがイネーブルされていることを示すために、ビデオデータを含む前記複数のトラックの他のトラックの各々のサンプルに関するサンプルエントリータイプ値を設定するための手段と、ここにおいて、便利なランダムアクセスは、より早いサンプルからパラメータセットをフェッチすることなしにサンプルから開始するランダムアクセスを備える、
前記複数のトラックの前記トラックに関する前記サンプルエントリータイプ値が、便利なランダムアクセスがイネーブルされていることを示すように、前記複数のトラックを含むファイルを生成するための手段と
を備える、デバイス。
【請求項６】
前記最も低いトラックおよび前記他のトラックに関する前記サンプルエントリータイプ値は、'hev1'または'hev2'のうちの１つを備える、請求項５に記載のデバイス。
【請求項７】
前記ビデオデータは、Ｈｉｇｈ−Ｅｆｆｉｃｉｅｎｃｙ  Ｖｉｄｅｏ  Ｃｏｄｉｎｇ（ＨＥＶＣ）またはレイヤードＨＥＶＣ（Ｌ−ＨＥＶＣ）のうちの１つに従って符号化される、請求項５に記載のデバイス。
【請求項８】
クライアントデバイスに前記サンプルエントリータイプ値のうちの少なくとも１つを送るための手段と、
前記サンプルエントリータイプ値のうちの前記少なくとも１つを送った後に、前記クライアントデバイスからランダムアクセスサンプルのための要求を受信するための手段と、  前記要求に応答して、前記サンプルを記述し、および前記サンプルに対応するサンプルエントリーにおいて、または前記サンプルにおいて、のうちの少なくとも１つにおいて含まれる、パラメータセットを送ることを含め、前記クライアントデバイスに前記ランダムアクセスサンプルを送るための手段と
をさらに備える、請求項５に記載のデバイス。
【請求項９】
前記デバイスはワイヤレス通信デバイスであり、前記ファイルを送信するように構成された送信機をさらに備える、請求項５に記載のデバイス。
【請求項１０】
前記ワイヤレス通信デバイスはセルラ電話であり、前記ファイルは、前記送信機によって送信され、セルラ通信規格に従って変調される、請求項９に記載のデバイス。
【請求項１１】
命令を記憶したコンピュータ可読記憶媒体であって、前記命令は、実行されると、プロセッサに、請求項１乃至４のいずれか１項に従う前記方法を実行することを行わせる、コンピュータ可読記憶媒体。